(57)【要約】【課題】ユーザが購入した保護されていないコンテンツをコンテンツ保護技術が適用されたメディア再生装置で合法的に鑑賞できるようにする。【解決手段】ユーザが購入したコンテンツを保存して再生するメディアプレーヤ１００と、  コンテンツの使用権限を発行する権利発行者３００と、所定のコンテンツ保護手段が適用されたコンテンツを再生するＤＲＭ装置２００と、を含んで構成し、メディアプレーヤ１００からコピーされるコンテンツが上記コンテンツ保護手段により保護されていない場合に、ＤＲＭ装置２００が権利発行者３００から使用権限を取得し、上記保護されていないコンテンツを上記保護手段により保護されるコンテンツに変換する。【選択図】図１
2008520031.tif 000002
【特許請求の範囲】
【請求項１】
ユーザが購入したコンテンツを保存して再生する第１装置と、
コンテンツの使用権限を発行するサーバと、
所定のコンテンツ保護手段が適用されたコンテンツを再生する第２装置と、
を含んで構成し、
前記第１装置からコピーされるコンテンツが前記コンテンツ保護手段により保護されていない場合に、前記第２装置が前記サーバから使用権限を取得し、前記保護されていないコンテンツを前記保護手段により保護されるコンテンツに変換する、
ことを特徴とするコンテンツ保護システム。
【請求項２】
前記第２装置は、前記第１装置からコピーされるコンテンツが保護されていないコンテンツである場合、前記コンテンツに含まれるＵＲＬ情報を参照して前記サーバに接続し、前記サーバから所定のトリガーを受信するエージェントを含むことを特徴とする請求項１に記載のコンテンツ保護システム。
【請求項３】
前記エージェントは、トリガーの受信が確認されると、コンテンツ使用権限を取得するために必要な情報を前記サーバに伝送し、前記サーバからコンテンツ使用権限を取得し、前記サーバから取得したコンテンツ使用権限情報を受信することを特徴とする請求項２に記載のコンテンツ保護システム。
【請求項４】
前記コンテンツ保護手段は、デジタル著作権管理（Digital Rights Management：ＤＲＭ）であることを特徴とする請求項１に記載のコンテンツ保護システム。
【請求項５】
前記第１装置は、前記第２装置にコピーされるコンテンツが保護されていないコンテンツである場合、前記コンテンツに含まれるＵＲＬ情報を参照して前記サーバと接続し、サーバから所定のトリガーを受信することを特徴とする請求項１に記載のコンテンツ保護システム。
【請求項６】
前記第１装置は、トリガーの受信が確認されると、コンテンツ使用権限を取得するために必要な情報を前記サーバに伝送し、前記サーバからコンテンツ使用権限を取得し、前記サーバから取得したコンテンツ使用権限情報を受信することを特徴とする請求項５に記載のコンテンツ保護システム。
【請求項７】
前記第２装置は、メディア再生装置であることを特徴とする請求項１に記載のコンテンツ保護システム。
【請求項８】
前記サーバは、コンテンツストアにより管理されるコンテンツ購入情報及び決済情報を共有することを特徴とする請求項１に記載のコンテンツ保護システム。
【請求項９】
前記コンテンツの変換は、前記コンテンツ保護手段により保護されるように前記コンテンツを暗号化することであることを特徴とする請求項１に記載のデジタルコンテンツ保護システム。
【請求項１０】
第１再生装置のコンテンツが所定のコンテンツ保護手段を適用した第２再生装置に伝送されるとき、前記コンテンツが前記コンテンツ保護手段により保護されているか否かを判定する過程と、
前記コンテンツが前記コンテンツ保護手段により保護されていない場合、前記第２再生装置がサーバに接続してコンテンツ使用権限を取得する過程と、
前記取得した権限に基づいて、前記第２再生装置が前記保護されていないコンテンツを前記コンテンツ保護手段により保護されるコンテンツに変換する過程と、
を含むことを特徴とするコンテンツ保護方法。
【請求項１１】
前記コンテンツ保護手段は、デジタル著作権管理（ＤＲＭ）であることを特徴とする請求項１０に記載のコンテンツ保護方法。
【請求項１２】
前記使用権限の取得過程は、
前記第２再生装置が前記コンテンツに含まれるＵＲＬ情報を参照して前記サーバと接続し、前記サーバから所定のトリガーを受信する過程と、
トリガーの受信が確認された場合、前記第２再生装置がコンテンツ使用権限を取得するために必要な情報を前記サーバに伝送する過程と、
前記サーバから取得したコンテンツ使用権限情報を前記第２再生装置に伝達する過程と、
を含むことを特徴とする請求項１０に記載のコンテンツ保護方法。
【請求項１３】
前記トリガーの受信過程において、前記第２再生装置が、前記第２再生装置内に設定されたＵＲＬ情報を参照して前記サーバに接続することを特徴とする請求項１２に記載のコンテンツ保護方法。
【請求項１４】
前記第２再生装置は、携帯用メディア再生装置であることを特徴とする請求項１０に記載のコンテンツ保護方法。
【請求項１５】
前記サーバは、コンテンツストアのコンテンツ購入情報及び決済情報を共有することを特徴とする請求項１０に記載のコンテンツ保護方法。
【請求項１６】
前記コンテンツの変換過程において、前記コンテンツは、前記コンテンツ保護手段により保護されるように暗号化されることを特徴とする請求項１０に記載のコンテンツ保護方法。
【請求項１７】
デジタルコンテンツ保護手段が適用されていない第１装置により、デジタルコンテンツ保護手段が適用された第２装置にコンテンツ伝送を試みる過程と、
前記コンテンツが前記デジタルコンテンツ保護手段により保護されていない場合、前記コンテンツを保護されるコンテンツに変換することを提案するメッセージを前記第１装置が前記第２装置から受信する過程と、
前記提案が受け入れられて前記第２装置が前記コンテンツの使用権限を取得すると、前記コンテンツを前記第２装置に伝送する過程と、
を含むことを特徴とするメディア再生装置のデジタルコンテンツ保護方法。
【請求項１８】
前記第２装置は、携帯用メディア再生装置であることを特徴とする請求項１７に記載のメディア再生装置のデジタルコンテンツ保護方法。
【請求項１９】
前記デジタルコンテンツ保護手段は、デジタル著作権管理（ＤＲＭ）であることを特徴とする請求項１７に記載のメディア再生装置のデジタルコンテンツ保護方法。
【請求項２０】
デジタルコンテンツ保護手段が適用された装置でデジタルコンテンツを保護する方法において、
所定の装置からコンテンツを受信したとき、前記コンテンツが前記デジタルコンテンツ保護手段により保護されているか否かを判定する過程と、
前記コンテンツが前記デジタルコンテンツ保護手段により保護されていない場合、前記コンテンツの受信を拒否し、前記コンテンツ使用権限取得のためにサーバに接続する過程と、
前記コンテンツの使用権限が取得された場合、前記コンテンツの受信拒否を撤回して前記コンテンツを受信し、前記取得した権限に基づいて、前記受信されたコンテンツを前記デジタルコンテンツ保護手段により保護されるコンテンツに変換する過程と、
を含むことを特徴とするデジタルコンテンツ保護方法。
【請求項２１】
前記デジタルコンテンツ保護手段は、デジタル著作権管理（ＤＲＭ）であることを特徴とする請求項２０に記載のデジタルコンテンツ保護方法。
【請求項２２】
前記使用権限の取得過程は、前記コンテンツに含まれるＵＲＬ情報を参照して前記サーバと接続し、前記サーバから所定のトリガーを受信する過程と、
トリガーの受信が確認されると、コンテンツ使用権限を取得するために必要な情報を前記サーバに伝送する過程と、
前記サーバからコンテンツ使用権限を取得する過程と、
を含むことを特徴とする請求項２０に記載のデジタルコンテンツ保護方法。
【請求項２３】
前記トリガーの受信過程において、前記メディア再生装置内に設定されたＵＲＬ情報を参照してサーバと接続されることを特徴とする請求項２２に記載のデジタルコンテンツ保護方法。
【請求項２４】
前記メディア再生装置は、携帯用装置であることを特徴とする請求項２０に記載のデジタルコンテンツ保護方法。
【請求項２５】
前記サーバは、コンテンツストアのコンテンツ購入情報及び決済情報を共有することを特徴とする請求項２０に記載のデジタルコンテンツ保護方法。
【請求項２６】
前記コンテンツの変換過程において、前記コンテンツが前記デジタルコンテンツ保護手段により保護されるように暗号化されることを特徴とする請求項２０に記載のデジタルコンテンツ保護方法。
【請求項２７】
デジタル著作権管理（ＤＲＭ）が適用されていない第１装置が、ＤＲＭが適用された第２装置にコンテンツの伝送を試みる過程と、
前記コンテンツがＤＲＭにより保護されていない場合、前記第２装置が前記第１装置に前記コンテンツをＤＲＭコンテンツに変換するように提案する過程と、
前記第１装置が前記提案を受け入れた場合、前記第２装置が前記コンテンツに含まれるＵＲＬ情報を参照してサーバに接続し、前記サーバから所定のトリガーを受信する過程と、
前記トリガーの受信が確認されると、前記第２装置がコンテンツ使用権限を取得するために必要な情報を前記サーバに伝送する過程と、
前記第２装置が前記サーバからコンテンツ使用権限情報を受信する過程と、
前記第１装置が前記第２装置に前記コンテンツを伝送する過程と、
前記第２装置が前記取得した権限に基づいて、前記受信されたコンテンツをＤＲＭコンテンツに変換する過程と、
を含むことを特徴とするメディア再生装置のデジタルコンテンツ保護方法。
【請求項２８】
前記第２装置は、携帯用メディア再生装置であることを特徴とする請求項２７に記載のメディア再生装置のデジタルコンテンツ保護方法。
【請求項２９】
前記コンテンツの変換過程において、前記コンテンツが前記ＤＲＭにより保護されるように暗号化されることを特徴とする請求項２７に記載のメディア再生装置のデジタルコンテンツ保護方法。
【発明の詳細な説明】
【技術分野】
【０００１】
本発明は、モバイル通信分野（Open Mobile Alliance：ＯＭＡ）に関し、特に、ＯＭＡベースのコンテンツ保護システム及び方法に関する。
【背景技術】
【０００２】
移動通信の発達につれて、通信市場が急激に成長し、それによる無線インターネット需要が徐々に増加している。標準化団体も、有線上のネットワーク標準から無線インターネットの活用にその焦点が変化している。
そのうち、２００２年６月に発足したＯＭＡは、潜在的な無線インターネット市場を活性化すると期待されている。ＯＭＡ発足の背景については意見が分かれるが、現状の潜在力は看過できない。
【０００３】
上記ＯＭＡは、相互運用性確保のために、他のモバイル産業に関する多様な標準機構と密接な関係がある。
【０００４】
また、標準機構との合併及び協力関係により、上記ＯＭＡは、外部機構により開発された規格を受け入れたり、その要求事項をまとめたりする。メッセージング分野における最も顕著な例として、ＭＭＳ（Multimedia Messaging Service）の場合、ＧＳＭＡ、ＣＤＧの要求事項をまとめ、３ＧＰＰ及び３ＧＰＰ２ネットワーク層のための規格を開発することである。また、デジタル著作権管理（Digital Rights Management：以下、「ＤＲＭ」という）の場合、２００２年６月の３ＧＰＰのＤＲＭ仕様を受け継ぎ、キャンディデート段階のＯＭＡＤＲＭ ｖ１．０を発表した。
【０００５】
上記ＤＲＭは、不正流通及び配布からコンテンツを保護する技術の一つであり、ウェブでの有料コンテンツの安全な配布を保障し、不正配布を防止するために開発された。上記ＤＲＭは、コンテンツプロバイダの権利及び利益を安全に保護し、コンテンツの違法コピーを防止し、使用料賦課や決済代行などのコンテンツの生成から流通及び管理までを一括してサポートする。
【０００６】
上記ＤＲＭは、許可されたユーザのみがコンテンツを使用し、適切な料金を支払うようにするデジタル著作権管理技術、著作権承認と執行のためのソフトウェア及びセキュリティ技術、並びに支払及び決済技術を全て含む。
【０００７】
オンラインコンテンツが著作権法により保護されているとしても、有料コンテンツの違法コピーや無分別な流布を取り締まることは、現実的に非常に難しい。ＤＲＭ技術は、有料コンテンツの違法コピーや流布が発生した後、関連者を逮捕する無作為な戦略よりは、確実な問題解決処理方式として、ウェブコンテンツを盗用すること自体を不可能にする技術に焦点を合わせている。多くの会社が多様なアプローチと技街に基づく様々なＤＲＭ製品を提示している。一般に、ＤＲＭ製品は、サーバソフトウェアやユーザ用プラグインなどの運営に必要な全てを含む一括パッケージ形態である。
【０００８】
上記ＤＲＭ技術は、音楽共有サービスで有名なナップスターが２００１年にＭＰ３著作権保護のために最初に採択し、オンラインコンテンツが有料化するにつれて重要な技術として注目を集めるようになり、各国の研究機関に未来のコア情報技術として採択されている。
【発明の開示】
【発明が解決しようとする課題】
【０００９】
しかしながら、上記ＤＲＭのような従来のデジタルコンテンツ保護システムは、以下のような問題があった。ユーザは、ＤＲＭ適用装置を利用してコンテンツを鑑賞するために、上記ＤＲＭにより保護されるコンテンツを別途に購入する必要があった。すなわち、従来のＤＲＭ技術において、ユーザがオフライン（又は、オンライン）で購入したコンテンツを有していても、ＤＲＭ適用装置を利用して該当コンテンツを鑑賞することができなかった。上記ＤＲＭ適用装置を利用して合法的にコンテンツを鑑賞するためには、ユーザが上記ＤＲＭにより保護されるコンテンツを別途に購入しなければならないという問題があった。
【００１０】
本発明は、上記問題を解決するためになされたものであり、ユーザが購入した保護されていないコンテンツをコンテンツ保護技術が適用されたメディア再生装置で合法的に鑑賞できるようにするデジタルコンテンツ保護システム及び方法を提供することを目的とする。
【課題を解決するための手段】
【００１１】
このような目的を達成するために、本発明によるコンテンツ保護システムは、ユーザが購入したコンテンツを保存して再生する第１装置と、コンテンツの使用権限を発行するサーバと、所定のコンテンツ保護手段が適用されたコンテンツを再生する第２装置と、を含んで構成し、前記第１装置からコピーされるコンテンツが前記コンテンツ保護手段により保護されていない場合に、前記第２装置が前記サーバから使用権限を取得し、前記保護されていないコンテンツを前記保護手段により保護されるコンテンツに変換する。
【００１２】
好ましくは、前記第２装置は、前記第１装置からコピーされるコンテンツが保護されていないコンテンツである場合、前記コンテンツに含まれるＵＲＬ情報を参照して前記サーバに接続し、前記サーバから所定のトリガーを受信するエージェントを含む。
【００１３】
好ましくは、前記エージェントは、トリガーの受信が確認されると、コンテンツ使用権限を取得するために必要な情報を前記サーバに伝送し、前記サーバからコンテンツ使用権限を取得し、前記サーバから取得したコンテンツ使用権限情報を受信する。
好ましくは、前記コンテンツ保護手段は、デジタル著作権管理（ＤＲＭ）である。
【００１４】
好ましくは、前記第１装置は、前記第２装置にコピーされるコンテンツが保護されていないコンテンツである場合、前記コンテンツに含まれるＵＲＬ情報を参照して前記サーバと接続し、サーバから所定のトリガーを受信する。
好ましくは、前記第２装置は、メディア再生装置である。
【００１５】
好ましくは、前記サーバは、コンテンツストア（コンテンツプロバイダ）により管理されるコンテンツ購入情報及び決済情報を共有する。
【００１６】
好ましくは、前記コンテンツ変換は、前記コンテンツ保護手段により保護されるように前記コンテンツを暗号化（符号化）することである。
【００１７】
また、本発明による他のコンテンツ保護方法は、第１再生装置のコンテンツが所定のコンテンツ保護手段を採用する第２再生装置にコピーされる場合、前記コンテンツが前記保護手段により保護されるか否かを判定する過程と、前記コンテンツが前記コンテンツ保護手段により保護されていない場合、第２再生装置がサーバに接続してコンテンツ使用権限を取得する過程と、前記取得した権限に基づいて、第２再生装置が前記保護されていないコンテンツを前記コンテンツ保護手段により保護されるコンテンツに変換する過程とを含む。
【００１８】
好ましくは、前記コンテンツ保護手段は、ＤＲＭである。
好ましくは、前記使用権限の取得過程は、前記第２再生装置が前記コンテンツに含まれるＵＲＬ情報を参照して前記サーバと接続し、前記サーバから所定のトリガーを受信する過程と、トリガーの受信が確認された場合、第２再生装置がコンテンツ使用権限取得に必要な情報を前記サーバに伝送する過程と、前記サーバから取得したコンテンツ使用権限情報を前記第２再生装置に伝達する過程とを含む。
【００１９】
また、本発明による他のコンテンツ保護方法は、第１再生装置のコンテンツが所定のコンテンツ保護手段を採用する第２再生装置にコピーされる場合、前記コンテンツが前記コンテンツ保護手段により保護されるか否かを判定する過程と、前記コンテンツが前記コンテンツ保護手段により保護されていない場合、第１再生装置がサーバに接続してコンテンツ使用権限を取得する過程と、前記取得した権限に基づいて、第１再生装置が前記保護されていないコンテンツを前記コンテンツ保護手段により保護されるコンテンツに変換する過程とを含む。
【００２０】
好ましくは、前記使用権限の取得過程は、前記第１再生装置が前記コンテンツに含まれるＵＲＬ情報を参照して前記サーバと接続し、前記サーバから所定のトリガーを受信する過程と、トリガーの受信が確認された場合、第１再生装置がコンテンツ使用権限を取得するために必要な情報を前記サーバに伝送する過程と、前記サーバから取得したコンテンツ使用権限情報を前記第１再生装置に伝達する過程とを含む。
【００２１】
本発明のさらなる長所、目的、及び特徴は後述する発明の詳細な説明に一部が記述されており、一部は上記説明により明確になるか、又は、本発明の適用により理解されるであろう。本発明の目的と長所は、特に、請求の範囲に開示されたように実現及び達成される。
【発明の効果】
【００２２】
本発明は、ユーザが購入したコンテンツがＤＲＭにより保護されていない場合、ＤＲＭが適用された再生装置は、権限発行者から該当コンテンツに対する使用権限を取得することができる。また、ユーザが購入したコンテンツをＤＲＭにより保護されるコンテンツに変換することができる。このように、本発明は、ＤＲＭにより保護されていないコンテンツをＤＲＭが適用された再生装置で合法的に鑑賞することができるので、ＤＲＭにより保護されるコンテンツを別途に購入するという煩わしさがなく、それによる経済的損失が低減できる。
【発明を実施するための最良の形態】
【００２３】
図１は、本発明によるコンテンツ保護システムの構造図である。
図１に示すように、本発明によるコンテンツ保護システムは、ユーザが購入したコンテンツを保存して再生する第１装置１００（以下、「メディアプレーヤ」という）と、コンテンツの使用権限を発行するサーバ３００（以下、「権利発行者」という）と、メディアプレーヤ１００からコンテンツをコピーするとき、上記コンテンツがＤＲＭにより保護されていないコンテンツであると判定されると、上記権利発行者３００が発行する使用権限に基づいて上記保護されていないコンテンツをＤＲＭにより保護されるように変換する第２装置２００（以下、「携帯用メディアプレーヤ」という）とから構成される。
【００２４】
図２は、本発明の第１実施形態によるコンテンツ保護システムの動作過程を示す図である。図１及び図２を参照して本発明の好ましい実施形態を説明する。
ユーザは、オーディオコンテンツやビデオコンテンツなどのメディアコンテンツを一般商店（オフラインマーケット）やインターネット上のオンラインマーケットから購入し、上記購入したコンテンツを各種メディアプレーヤ（例えば、オーディオプレーヤ、デスクトップコンピュータなど）を利用して鑑賞する。説明の便宜上、上記メディアプレーヤ１００は、別途のコンテンツ保護技術が適用されていない製品であると仮定し、上記購入したコンテンツは、オーディオコンテンツであると仮定する。
【００２５】
上記購入したコンテンツを小型ＭＰ３プレーヤや携帯用端末機（ノートブック、ＰＤＡ（personal Digital Assistant）、移動通信端末機など）などの携帯用メディアプレーヤ２００で鑑賞する場合、ユーザは、ＵＳＢ（Universal Serial Bus）のような通信ケーブルを利用して上記コンテンツを上記携帯用メディアプレーヤ２００に伝送する（Ｓ１０）。本実施形態において、上記携帯用メディアプレーヤ２００は、コンテンツ保護技術（例えば、ＤＲＭ）が適用された製品であると仮定する。
【００２６】
ユーザがコンテンツの伝送（Ｓ１０）を試みると、上記携帯用メディアプレーヤ２００に搭載されたＤＲＭエージェント（図示せず）は、上記コンテンツがＤＲＭにより保護されているか否かを判定する。また、上記コンテンツが上記ＤＲＭにより保護されていないと判定された場合、上記ＤＲＭエージェントは、「このコンテンツはＤＲＭにより保護されていないコンテンツであり、伝送を許可できない」とユーザに通知し、上記保護されていないコンテンツを保護されるコンテンツに変換してコンテンツ使用権限を取得するように指示する（Ｓ２０）。
【００２７】
続いて、上記使用権限の取得に関してユーザが同意すると（Ｓ３０）、上記ＤＲＭエージェントは、購入した記録媒体（又は、コンテンツ）から検出した権利発行者のＵＲＬ（Uniform Resource Locator）を利用して権利発行者３００と接続する（Ｓ４０及びＳ５０）。上記購入した記録媒体に権利発行者のＵＲＬ情報が保存されていない場合、上記ＤＲＭエージェントは、内部に設定されたＵＲＬ情報により権利発行者３００と接続する。
【００２８】
上記ＤＲＭエージェントは、権利発行者３００と接続すると、権利発行者３００からインポートコンテンツトリガー（Import Content Trigger）を受信する（Ｓ６０）。インポートコンテンツトリガーの受信が確認されると、上記ＤＲＭエージェントは、インポートオペレーション（Ｓ７０〜Ｓ８０）を開始する。
【００２９】
上記インポートコンテンツトリガーは、本発明が新しく提案したトリガーであり、インポートコンテンツトリガーのフォーマットは、ＤＲＭ２．０スペックに明示された通りである。図６は、インポートコンテンツトリガーのフォーマットを示すスキーマ定義である。
【００３０】
上記ＤＲＭエージェントは、ＤＲＭエージェント自身が有するＵＲＬ情報が有効でない場合、有効な権利発行者のＵＲＬの伝送を上記接続された権利発行者３００に要求できる。
【００３１】
上記インポートコンテンツトリガーを受信したＤＲＭエージェントは、上記記録媒体から検出した情報（シリアルナンバー、アルバム、アーティストなどのコンテンツ情報）を所定の要求メッセージ（例えば、インポートコンテンツリクエスト（Import Content Request））により上記権利発行者３００に伝送する（Ｓ７０）。
【００３２】
次に、上記要求メッセージを受信した権利発行者３００は、権利暗号化キー、コンテンツＩＤ、権利オブジェクトなどの情報を所定の応答メッセージ（例えば、インポートコンテンツレスポンス（Import Content Response））により上記ＤＲＭエージェントに返す（Ｓ８０）。
【００３３】
上記権利発行者３００から応答メッセージが到着すると、上記ＤＲＭエージェントは、応答メッセージに含まれた情報を利用して、ユーザが購入したコンテンツを適切なＤＲＭのＤＣＦ（保護されるコンテンツフォーマット）に暗号化する（Ｓ８５及びＳ９０）。コンテンツの暗号化は、保護されていないコンテンツを保護されるコンテンツに変換する一連の過程であり、ＤＲＭ装置（即ち、携帯用メディアプレーヤ）にコンテンツが伝送される間に、ＤＲＭエージェントにより行われる。
【００３４】
以上の動作（Ｓ１０〜Ｓ９０）が正常に行われると、ユーザは、購入したコンテンツをユーザ自身の携帯用メディアプレーヤ２００で使用することが適法であることを認める権利オブジェクトが得られ、上記ＤＲＭに保護された他のコンテンツのように上記コンテンツをユーザ自身の携帯用メディアプレーヤ２００で自由に使用することができる（Ｓ１００）。
【００３５】
特定コンテンツに関する使用権限が発行されると、上記権利発行者３００は、そのコンテンツと同一のシリアルナンバーを有するインポートコンテンツリクエストのメッセージのアクセスを遮断することにより、一つのコンテンツに関する使用権限が重複して発生することを防止する。
【００３６】
さらに、上記権利発行者３００は、コンテンツを一つの装置だけでなく、ＤＲＭの保護下で、様々な装置で使用できるようにする権限をユーザに発行できる。このような権限をコンテンツドメイン権限といい、ユーザの要求に応じて権利発行者３００により発行される。
【００３７】
また、図２の過程Ｓ１１０〜Ｓ１２０に示すように、ユーザ１００が他のユーザ４００にＤＲＭに保護されているコンテンツを配布できるようにする超流通（super-distribution）過程を行うことができる。ユーザ１００から超流通コンテンツを受信すると、他のユーザ４００のＤＲＭエージェントは、ＤＣＦのサイレントヘッダー（Silent-Headers）フィールドからＵＲＬを取得し、ノーマル２パスＲＯアクイジション（normal 2 pass RO-Acquisition）プロトコルを利用して該当ＤＲＭスペック（例えば、ＤＲＭ２．０スペック）に明示された通り、権利発行者３００にコンテンツの使用権限を要求する。
【００３８】
コンテンツ使用権限に対する課金は、権利発行者３００により行われる。すなわち、上記過程Ｓ７０のように、ユーザが特定コンテンツに対する使用権限を要求すると、権利発行者３００は、該当コンテンツの購入及び決済記録を検索する。また、検索結果に基づいて、ユーザに課金するか否かを決定する。
【００３９】
ユーザがコンテンツを購入するときに予め音楽出版社にコンテンツ使用料を支払っていた場合、権利発行者３００は、ユーザに課金しない。ユーザに重複課金されることを防止するために、権利発行者３００は、音楽出版社により管理されるコンテンツ購入情報及び決済情報を共有する必要がある。
【００４０】
上記ＤＲＭ装置（携帯用メディアプレーヤ）が無線通信モジュールを搭載しない非接続装置（unconnected device）である場合、上記ＤＲＭエージェントは、デスクトップコンピュータのような接続装置（connected device）により上記通信手順（Ｓ５０〜Ｓ８０）を行う。
【００４１】
図３は、本発明の第２実施形態によるコンテンツ保護システムの動作過程を示す図である。
本発明の第２実施形態は、上記ＤＲＭ装置（上記携帯用メディアプレーヤ）が無線通信モジュールを搭載しない非接続装置であるケースを示し、第１実施形態と同一の仮定で動作を行う。図１及び図３を参照して本発明の第２実施形態を説明する。
【００４２】
購入したコンテンツを携帯用メディアプレーヤ２００で鑑賞する場合、ユーザは、通信ケーブルを利用して上記コンテンツを上記携帯用メディアプレーヤ２００に伝送する（Ｓ２１０）。
【００４３】
ユーザが上記コンテンツの伝送（Ｓ２１０）を試みると、上記携帯用メディアプレーヤ２００に搭載されたＤＲＭエージェント（図示せず）は、上記コンテンツがＤＲＭにより保護されているコンテンツであるか否かを判定する。ここで、ＤＲＭにより保護されていないと判定された場合、上記ＤＲＭエージェントは、「このコンテンツはＤＲＭにより保護されていないコンテンツであり、コンテンツ伝送を許可できない」とユーザに通知し、保護されていないコンテンツを保護されるコンテンツに変換してコンテンツ使用権限を取得するように指示する（Ｓ２２０）。
【００４４】
続いて、上記使用権限の取得に関してユーザが同意すると（Ｓ２３０），ＤＲＭエージェントは、購入した記録媒体（又は、コンテンツ）から権利発行者のＵＲＬを検出し（Ｓ２４０）、上記検出された権利発行者のＵＲＬを利用して権利発行者３００と接続するように上記メディアプレーヤ１００に指示する（Ｓ２５０）。上記購入した記録媒体に権利発行者のＵＲＬ情報が保存されていない場合、ＤＲＭエージェントは、内部に設定されたＵＲＬ情報を利用して権利発行者３００と接続するように上記メディアプレーヤ１００に指示する。
【００４５】
次に、権利発行者３００と接続したメディアプレーヤ１００は、権利発行者３００からインポートコンテンツトリガー（Import Content Trigger）を受信する（Ｓ２６０及びＳ２７０）。インポートコンテンツトリガーの受信が確認されると、メディアプレレヤ１００は、インポートオペレーション（Ｓ２８０〜Ｓ２９０）を開始する。
【００４６】
上記インポートコンテンツトリガーは、本発明が新しく提案したトリガーであり、インポートコンテンツトリガーのフォーマットは、ＤＲＭ２．０スペックに明示された通りである。図６は、インポートコンテンツトリガーのフォーマットを示すスキーマ定義である。
【００４７】
ＤＲＭエージェントは、ＤＲＭエージェント自身が有するＵＲＬ情報が有効でない場合、有効な権利発行者のＵＲＬの伝送を、上記メディアプレーヤ１００を介して上記接続された権利発行者３００に要求できる。
【００４８】
上記インポートコンテンツトリガーを受信したメディアプレーヤ１００は、上記記録媒体から検出した情報（シリアルナンバー、アルバム、アーティストなどのコンテンツ情報）を所定の要求メッセージ（例えば、インポートコンテンツリクエスト（Import content Request））により上記権利発行者３００に伝送する（Ｓ２８０）。
【００４９】
その後、上記要求メッセージを受信した権利発行者３００は、権利暗号化キー、コンテンツＩＤ、権利オブジェクトなどの情報を所定の応答メッセージ（例えば、インポートコンテンツレスポンス（Import Content Response））により上記メディアプレーヤ１００に返す（Ｓ２９０）。
【００５０】
上記権利発行者３００から応答メッセージが到着すると、メディアプレーヤ１００は、上記応答メッセージに含まれている情報を利用して、ユーザが購入したコンテンツを適切なＤＲＭのＤＣＦ（保護されたコンテンツフォーマット）に暗号化する（Ｓ３００）。コンテンツの暗号化は、保護されていないコンテンツを保護されたコンテンツに変換する一連の過程であり、ユーザは、暗号化が終了したコンテンツを携帯用メディアプレーヤ２００に保存する（Ｓ３１０）。
【００５１】
以上の動作（Ｓ２１０〜Ｓ３１０）が正常に行われると、ユーザは、上記コンテンツが資格のある、即ち認証された適法なコンテンツであることを認める権利オブジェクトが得られ、上記コンテンツをＤＲＭに保護された他のコンテンツのようにユーザ自身の携帯用メディアプレーヤ２００で自由に使用することができる（Ｓ３２０）。
【００５２】
以上の実施形態を実現するために、本発明は、インポートオペレーション（Ｓ７０〜Ｓ８０）で使用されるＲＯＡＰプロトコルベースの要求メッセージと応答メッセージを次のように定義する。
【００５３】
インポートコンテンツリクエスト（Import Content Request）は、上記要求メッセージの一例であり、上記ＯＭＡＤＲＭエージェントが権利発行者３００から購入したコンテンツの使用権限を要求するために送信するメッセージである。インポートコンテンツレスポンス（Import Content Response）は、上記応答メッセージの一例であり、上記インポートコンテンツリクエストに対する権利発行者３００の応答メッセージである。
【００５４】
表１は、本発明によるインポートコンテンツリクエスト（Import Content Request）メッセージフォーマットの一例である。
【００５５】
【表１】
2008520031.tif 000003
【００５６】
表１に示すように、本発明によるインポートコンテンツリクエストメッセージは、権利発行者３００がコンテンツのタイプを決定できるようにするために、インポートコンテンツ情報（Import Content Info）を含む。インポートコンテンツ情報は、ＸＭＬ複合型であり、シリアルナンバー（Serial No）、タイトル（title）、アルバム（album）、コピーライトインフォ（CopyRightInfo）、タイプオブコンテンツ（TypeOfContent）などの要素から構成される。
【００５７】
上記シリアルナンバー（Serial No）は、コンテンツに付けられるシリアルナンバーを保存するフィールドであり、取引される全てのコンテンツは、シリアルナンバーを有する。上記タイトル（title）は、コンテンツのタイトルを保存するフィールドであり、上記アルバム（album）は、コンテンツの集合に付けられる名前であり、ユーザが購入したコンテンツ全体を代表する名前を保存するフィールドである。上記アルバムは、複数のトラックを含んでいる。
【００５８】
また、上記コピーライトインフォ（CopyRightInfo）は、著作権情報を保存するフィールドであり、購入したメディアに著作権情報が含まれている場合、その著作権情報は、上記コピーライトインフォ（CopyRightInfo）フィールドに保存されて権利発行者３００に伝送される。上記タイプオブコンテンツ（TypeOfContent）は、購入したメディアの種類に関する情報を保存するフィールドである。
【００５９】
表２は、上記インポートコンテンツ情報（Import Content Info）を構成する要素を示す。
【００６０】
【表２】
2008520031.tif 000004
【００６１】
表３は、本発明によるインポートコンテンツレスポンス（Import Content Response）メッセージフォーマットの一例である。
【００６２】
【表３】
2008520031.tif 000005
【００６３】
表３に示すように、本発明によるインポートコンテンツレスポンスメッセージは、コンテンツＩＤ（Content ID）、サイレントＵＲＬ（Silent URL）、及びコピーライトインフォメーション（CopyRight Information）をさらに含む。権利発行者３００が該当コンテンツを保護すると決定した場合、上記インポートコンテンツレスポンスメッセージのプロテクテッドＲＯ（ProtectedRO）フィールドに暗号化キーが保存される。
【００６４】
上記コンテンツＩＤ（Content ID）は、ＤＲＭエージェントにより保護されるコンテンツ識別子を保存するフィールドであり、ＤＲＭエージェントがＤＲＭ２．０コンテンツを生成するときに使用され、権利発行者３００により生成される。
【００６５】
前記サイレントＵＲＬ（Silent URL）は、権利発行者３００により生成されたサイレントＵＲＬを保存するフィールドであり、ＤＲＭエージェントがＤＲＭ２．０コンテンツを構成するときに使用される。
【００６６】
上記コピーライトインフォメーション（CopyRightInformation）は、権利発行者３００により生成された著作権情報を保存するフィールドであり、ＤＲＭエージェントがＤＲＭ２．０コンテンツを構成するときに使用される。
【００６７】
図４及び図５のスキーマ定義は、上記インポートコンテンツリクエスト（Import Content Request）メッセージとインポートコンテンツレスポンス（Import Content Response）メッセージのフォーマットをそれぞれ示す図である。
【００６８】
本発明を図面に示す実施形態に基づいて説明したが、これは単なる説明の便宜のための例示にすぎない。当該技術分野における通常の知識を有する者であれば多様な変更、変形、及び均等な他の実施例が可能であることを理解できるであろう。本発明の技術的保護範囲は、添付された特許請求の範囲の技術的思想により決定されるべきである。
【図面の簡単な説明】
【００６９】
【図１】本発明によるコンテンツ保護システムの構成図である。
【図２】本発明の第１実施形態によるコンテンツ保護システムの動作過程を示す図である。
【図３】本発明の第２実施形態によるコンテンツ保護システムの動作過程を示す図である。
【図４】インポートコンテンツリクエスト（Import Content Request）メッセージのフォーマットを示すスキーマ定義である。
【図５】インポートコンテンツレスポンス（Import Content Response）メッセージのフォーマットを示すスキーマ定義である。
【図６】インポートコンテンツトリガー（Import Content Trigger）のフォーマットを示すスキーマ定義である。
【符号の説明】
【００７０】
１００…メディアプレーヤ（第１装置）
２００…携帯用メディアプレーヤ（第２装置）
３００…権利発行者（サーバ）
【図２】
2008520031.tif 000006
【図３】
2008520031.tif 000007
【図４】
2008520031.tif 000008
【図５】
2008520031.tif 000009
【図６】
2008520031.tif 000010
【図１】
2008520031.tif 000011
【国際調査報告】
2008520031.tif 000012
2008520031.tif 000013